(57)【特許請求の範囲】
【請求項１】
木質板状体をその表面又は裏面が上になるようにした状態で一枚ずつ送る送りコンベヤの前端部の下方より前方に延びる整列板を配設し、該整列板は該送りコンベヤの前端部の下方より斜め上方に延びる傾斜部と該傾斜部に連なる水平部とよりなり、該整列板には該整列板を上下に貫く複数本の貫通溝を前後方向に形成し、各貫通溝は整列板の後縁又は後縁附近より水平部の一部に至るまで連続的に形成し、該整列板の下方には複数のコンベヤ車間にベルト，チェーン等の無端環状体を巻き掛けてなる整列コンベヤを配設し、該整列コンベヤにおける無端環状体は整列板における傾斜部の後縁附近より傾斜部と水平部との境界附近までについては該傾斜部と略平行且つ該傾斜部に近接した上り部とし、整列板における傾斜部と水平部との境界附近より前方については斜め下方に傾斜した下り部とし、無端環状体には整列板の各貫通溝に対応させて多数の爪を横方向に位置を揃え且つ前後方向に所定の間隔を置いた状態で突設し、整列コンベヤを回転させたときに無端環状体の爪が整列板の後縁又は後縁附近より各貫通溝の上方に突出し、各貫通溝の上方に突出した状態で整列板の傾斜部に沿って前進し、整列板における傾斜部と水平部との境界附近より徐々に下降して整列板の各貫通溝内に没入し整列板の下方に至るようにしたことを特徴とする木質板状体の整列装置。
【請求項２】
前記送りコンベヤの前端部と整列板の後縁又は後縁附近との間には木質板状体を案内する案内板を配設し、該案内板には該案内板を前後に貫通する貫通溝を整列板の貫通溝に対応させて形成したことを特徴とする請求項１の木質板状体の整列装置。
【請求項３】
前記送りコンベヤの前端部と前記案内板との直前には木質板状体を案内する案内ブラシを配設したことを特徴とする請求項２の木質板状体の整列装置。
【請求項４】
前記整列板における傾斜部と水平部との境界附近の上方には木質板状体の転倒を防止する転倒防止ブラシを該整列板に近接させた状態で配設したことを特徴とする請求項１〜３のいずれかの木質板状体の整列装置。
【請求項５】
前記木質板状体は蒲鉾板であり、前記送りコンベヤは、蒲鉾板から節、ヤニ、カビ等の欠点のある蒲鉾板のみを選別して除去するようにした蒲鉾板の自動選別装置において選別除去後の欠点のない蒲鉾板のみを送るコンベヤであることを特徴とする請求項１〜４のいずれかの木質板状体の整列装置。
【発明の詳細な説明】
【０００１】
【発明の属する技術分野】
本発明は、例えば蒲鉾板の如き木質板状体の整列装置に関するものであり、更に詳しくは、図４に示すように表面１ａ又は裏面１ｂを上にした状態でコンベヤ上を一枚ずつ送られてくる木質板状体１を、図５に示すように側縁１ｃ又は端縁１ｄが上になるように起立すると共に各木質板状体１の表面１ａ又は裏面１ｂが相互に接触するようにした状態に整列させるための木質板状体の整列装置に係るものである。本発明による木質板状体の整列装置は、例えば多数枚の蒲鉾板から節、ヤニ、カビ等の欠点のある蒲鉾板のみを選別して除去するようにした蒲鉾板の自動選別装置に使用される。
【０００２】
【従来の技術】
木質板状体を上述の如く整列させるようにした好ましい木質板状体の整列装置は本出願人の知る限りにおいて従来存在しない。
【０００３】
【発明が解決しようとする課題】
本発明は、表面又は裏面を上にした状態でコンベヤ上を一枚ずつ送られてくる木質板状体を、側縁又は端縁が上になるように起立すると共に各木質板状体の表面又は裏面が相互に接触するようにした状態に整列させるための新規な木質板状体の整列装置を提供しようとしてなされたものである。
【０００４】
【課題を解決するための手段】
上記課題を解決するために、本発明は下記の如き木質板状体の整列装置を提供するものである。
【０００５】
（１）木質板状体をその表面又は裏面が上になるようにした状態で一枚ずつ送る送りコンベヤの前端部の下方より前方に延びる整列板を配設し、該整列板は該送りコンベヤの前端部の下方より斜め上方に延びる傾斜部と該傾斜部に連なる水平部とよりなり、該整列板には該整列板を上下に貫く複数本の貫通溝を前後方向に形成し、各貫通溝は整列板の後縁又は後縁附近より水平部の一部に至るまで連続的に形成し、該整列板の下方には複数のコンベヤ車間にベルト，チェーン等の無端環状体を巻き掛けてなる整列コンベヤを配設し、該整列コンベヤにおける無端環状体は整列板における傾斜部の後縁附近より傾斜部と水平部との境界附近までについては該傾斜部と略平行且つ該傾斜部に近接した上り部とし、整列板における傾斜部と水平部との境界附近より前方については斜め下方に傾斜した下り部とし、無端環状体には整列板の各貫通溝に対応させて多数の爪を横方向に位置を揃え且つ前後方向に所定の間隔を置いた状態で突設し、整列コンベヤを回転させたときに無端環状体の爪が整列板の後縁又は後縁附近より各貫通溝の上方に突出し、各貫通溝の上方に突出した状態で整列板の傾斜部に沿って前進し、整列板における傾斜部と水平部との境界附近より徐々に下降して整列板の各貫通溝内に没入し整列板の下方に至るようにしたことを特徴とする木質板状体の整列装置(請求項１)。
【０００６】
特許請求の範囲を含む本明細書において「前」とはコンベヤの送り方向、即ち図１、図２における右方をいうものとし、「後」とは「前」と反対の方向、即ち図１、図２における左方をいうものとする。また、「横」とは前後方向と直角の水平方向、即ち図２における上下方向をいうものとする。
【０００７】
（２）前記送りコンベヤの前端部と整列板の後縁又は後縁附近との間には木質板状体を案内する案内板を配設し、該案内板には該案内板を前後に貫通する貫通溝を整列板の貫通溝に対応させて形成する(請求項２)。
【０００８】
（３）前記送りコンベヤの前端部と前記案内板との直前には木質板状体を案内する案内ブラシを配設する(請求項３)。
【０００９】
（４）前記整列板における傾斜部と水平部との境界附近の上方には木質板状体の転倒を防止する転倒防止ブラシを該整列板に近接させた状態で配設する(請求項４)。
【００１０】
（５）前記木質板状体は蒲鉾板であり、前記送りコンベヤは、蒲鉾板から節、ヤニ、カビ等の欠点のある蒲鉾板のみを選別して除去するようにした蒲鉾板の自動選別装置において選別除去後の欠点のない蒲鉾板のみを送るコンベヤである(請求項５)。
【００１１】
【作用】
［請求項１の木質板状体の整列装置］
表面又は裏面が上になるようにした状態で一枚ずつ送りコンベヤ上を送られた木質板状体は該送りコンベヤの前端部より木質板状体の側縁又は端縁を上にした状態で整列板の後縁又は後縁附近に落下する。しかして、整列板の後縁又は後縁附近には無端環状体の爪が横方向に位置を揃えた状態で各貫通溝の上方に突出しているため、整列板の傾斜部上に落下した各木質板状体は各木質板状体の直後に位置する横一列の爪に寄りかかり、側縁又は端縁を上にして起立した状態に保持される。各木質板状体は直後の横一列の爪に寄りかかったまま爪に押されて整列板の傾斜部を上る。木質板状体が傾斜部と水平部との境界附近に達すると、該木質板状体の直後の爪は徐々に下降し始め、該爪は次第に木質板状体の下部を押すようになる。やがて、爪が整列板の各貫通溝内に没入し整列板の下方に至ると木質板状体は爪により押されなくなり、側縁又は端縁を上にして起立した状態で整列板の水平部上に停止する。このようにして木質板状体が次々と整列板の水平部上に運ばれ、多数枚の木質板状体が側縁又は端縁を上にして起立すると共に各木質板状体の表面又は裏面が相互に接触した状態で整列される。この状態で整列した木質板状体は後続の木質板状体により徐々に押されて前方に進む。
【００１２】
［請求項２の木質板状体の整列装置］
木質板状体は送りコンベヤの前端部より落下する際に送りコンベヤの前端部から整列板の後縁又は後縁附近まで案内板により案内され、側縁又は端縁を上にした所定の状態で整列板の後縁又は後縁附近に確実に落下する。なお、整列コンベヤを回転させたときに無端環状体の爪は案内板の貫通溝と整列板の貫通溝とを貫通して整列板の後縁又は後縁附近より上方に突出する。
【００１３】
［請求項３の木質板状体の整列装置］
送りコンベヤの前端部から落下した木質板状体は案内ブラシと案内板とに案内され、側縁又は端縁を上にした所定の状態で整列板の後縁又は後縁附近に確実に落下する。
【００１４】
［請求項４の木質板状体の整列装置］
木質板状体は整列板における傾斜部と水平部との境界附近で直立するのであるが、その際、木質板状体は転倒防止ブラシに接触して前方への転倒が防止される。
【００１５】
［請求項５の木質板状体の整列装置］
蒲鉾板の自動選別装置により節、ヤニ、カビ等の欠点のある蒲鉾板が選別除去された後の欠点のない蒲鉾板が側縁又は端縁を上にして起立すると共に各蒲鉾板の表面又は裏面が相互に接触した状態で自動的に整列される。即ち、この整列装置は蒲鉾板を所定の状態に整列する作業を自動化するものであり、該作業に要する時間と労力と人件費を大幅に節約するものとなる。なお、このように所定の状態に整列された蒲鉾板は一例として包装後、出荷される。
【００１６】
【発明の実施の形態】
次に、本発明の実施の形態を添付図面に従って説明する。
符号３に示すものは送りコンベヤである。送りコンベヤ３は木質板状体１をその表面１ａ又は裏面１ｂが上になるようにした状態で一枚ずつ送るものである。
【００１７】
送りコンベヤ３の前端部５の下方より前方に延びる整列板７を配設する。該整列板７は該送りコンベヤ３の前端部５の下方より斜め上方に延びる傾斜部７ａと該傾斜部７ａに連なる水平部７ｂとよりなる。符号９に示すものは傾斜部７と水平部１１との境界である。
【００１８】
整列板７には該整列板７を上下に貫く複数本の貫通溝１１、１１・・・を前後方向に形成する。各貫通溝１１は整列板７における傾斜部７ａの後縁７ａ’（送りコンベヤ前端部５の下方部）又は後縁７ａ’附近より水平部７ｂの一部に至るまで連続的に形成する。符号１３に示すものは貫通溝１１、１１・・・の両側傍に立設した側板である。
【００１９】
整列板７の下方には複数のコンベヤ車１５ａ、１５ｂ、１５ｃ間にベルト，チェーン等の無端環状体１７を巻き掛けてなる整列コンベヤ１９を配設する。該整列コンベヤ１９における無端環状体１７は整列板７における傾斜部７ａの後縁７ａ’附近より傾斜部７ａと水平部７ｂとの境界９附近までについては該傾斜部７ａと略平行且つ該傾斜部７ａに近接した上り部１７ａとし、整列板７における傾斜部７ａと水平部７ｂとの境界９附近より前方については斜め下方に傾斜した下り部１７ｂとする。即ち、一例としてコンベヤ車１５ａは整列板７における傾斜部７ａの後縁７ａ’附近の直下に配設し、コンベヤ車１５ｂは傾斜部７ａと水平部７ｂとの境界９の直下に配設し、コンベヤ車１５ｃは水平部７ｂの下方であってコンベヤ車１５ｂよりも低い位置に配設する。符号２１に示すものは整列コンベヤ１９の駆動モータであり、符号２３に示すものは該駆動モータ１９とコンベヤ車１５ｃに連結したスプロケット２５との間に巻き掛けたチェーン等の伝動手段である。
【００２０】
無端環状体１７には整列板７の各貫通溝１１に対応させて多数の爪２７，２７・・・を横方向に位置を揃え且つ前後方向に所定の間隔を置いた状態で突設し、整列コンベヤ１９を回転させたときに無端環状体１７の爪２７、２７・・・が整列板７の後縁７ａ又は後縁７ａ附近より各貫通溝１１の上方に突出し、各貫通溝１１の上方に突出した状態で整列板７の傾斜部７ａに沿って前進し、整列板７における傾斜部７ａと水平部７ｂとの境界９附近より徐々に下降して整列板７の各貫通溝１１内に没入し整列板７の下方に至るようにする。
【００２１】
前記送りコンベヤ３の前端部５と整列板７の後縁７ａ’との間には木質板状体１を案内する案内板３１を配設し、該案内板３１には該案内板３１を前後に貫通する貫通溝３３、３３・・・を整列板７の貫通溝１１、１１・・・に対応させて形成する。図２参照。
【００２２】
前記送りコンベヤ３の前端部５と前記案内板３１との直前には木質板状体１を案内する案内ブラシ３５を配設する。
【００２３】
前記整列板７における傾斜部７ａと水平部７ｂとの境界９附近の上方には木質板状体１の転倒を防止する転倒防止ブラシ３７を該整列板７に近接させた状態で配設する。
【００２４】
本発明による木質板状体の整列装置は、一例として、蒲鉾板から節、ヤニ、カビ等の欠点のある蒲鉾板のみを選別して除去するようにした蒲鉾板の自動選別装置に使用される。即ち、この事例においては、木質板状体１は蒲鉾板であり、前記送りコンベヤ３は、蒲鉾板から節、ヤニ、カビ等の欠点のある蒲鉾板のみを選別して除去するようにした蒲鉾板の自動選別装置において選別除去後の欠点のない蒲鉾板のみを送るコンベヤである。
【００２５】
以下、本発明による木質板状体の整列装置を蒲鉾板の自動選別装置に使用した事例について図６、図７を参照して説明する。
この事例においては、木質板状体としての蒲鉾板１は供給用コンベヤ３０と投入用コンベヤ３２とを経て蒲鉾板１の表面１ａが上になるようにした状態で表側用コンベヤ３４上に送り出される。この表側用コンベヤ３４の上方には該表側用コンベヤ３４上の蒲鉾板１の表面１ａを撮影するための表側用カメラ４１と表側用ストロボ(閃光装置)４３が配設されている。表側用カメラ４１により表面１ａが撮影された表側用コンベヤ３４上の蒲鉾板１は表裏反転装置４５により表裏が反転され状態、即ち裏面１ｂを上にした状態で裏側用コンベヤ（送りコンベヤ３）に送られる。この裏側用コンベヤ（送りコンベヤ３）の上方には該裏側用コンベヤ（送りコンベヤ３）上の蒲鉾板１の裏面１ｂを撮影するための裏側用カメラ４９と裏側用ストロボ(閃光装置)５１が配設されている。裏側用コンベヤ（送りコンベヤ３）上の蒲鉾板１は裏側用カメラ４９により裏面１ｂが撮影される。表側用カメラ４１により撮影された表面１ａの画像と裏側用カメラ４９により撮影された裏面１ｂの画像は画像処理装置(図示せず。)により処理される。表面１ａ又は裏面１ｂの少なくともいずれか一方に欠点のあることが判明した蒲鉾板１は、裏側用コンベヤ（送りコンベヤ３）の側傍に配設された跳ね出しシリンダ５３により裏側用コンベヤ（送りコンベヤ３）より跳ね出されて排除される。跳ね出しシリンダ５３により跳ね出されなかった蒲鉾板１、即ち欠点のない蒲鉾板１、は整列装置５５により整列される。なお、木質板状体の整列装置を含む蒲鉾板の自動選別装置における各部は適宜同調させた状態で作動させる必要があることはいうまでもない。
【００２６】
【発明の効果】
［請求項１の木質板状体の整列装置］
請求項１の木質板状体の整列装置によれば、表面又は裏面が上になるようにした状態で一枚ずつ送りコンベヤ上を送られた木質板状体は側縁又は端縁を上にして起立すると共に各木質板状体の表面又は裏面が相互に接触した状態で自動的に整列される。即ち、この整列装置は木質板状体を整列する作業を自動化すものであり、該作業に要する時間と労力と人件費とを大幅に節約するものである。
【００２７】
［請求項２の木質板状体の整列装置］
木質板状体は送りコンベヤの前端部より落下する際に送りコンベヤの前端部から整列板の後縁又は後縁附近まで案内板により案内され、側縁又は端縁を上にした所定の状態で整列板の後縁又は後縁附近に確実に落下する。
【００２８】
［請求項３の木質板状体の整列装置］
送りコンベヤの前端部から落下した木質板状体は案内ブラシと案内板とに案内され、側縁又は端縁を上にした所定の状態で整列板の後縁又は後縁附近に確実に落下する。
【００２９】
［請求項４の木質板状体の整列装置］
木質板状体は整列板における傾斜部と水平部との境界附近で直立するのであるが、その際、木質板状体は転倒防止ブラシに接触して前方への転倒が防止される。
【００３０】
［請求項５の木質板状体の整列装置］
蒲鉾板の自動選別装置により節、ヤニ、カビ等の欠点のある蒲鉾板が選別除去された後の欠点のない蒲鉾板が側縁又は端縁を上にして起立すると共に各蒲鉾板の表面又は裏面が相互に接触した状態で自動的に整列される。即ち、この整列装置は蒲鉾板を所定の状態に整列する作業を自動化するものであり、該作業に要する時間と労力と人件費を大幅に節約するものとなる。
【図面の簡単な説明】
【図１】本発明による木質板状体の整列装置を示す側面図である。
【図２】同上整列装置を概略的に示す平面図である。
【図３】貫通溝と爪とを示す斜視図である。
【図４】木質板状体を示す斜視図である。
【図５】木質板状体を示す別の斜視図である。
【図６】本発明による木質板状体の整列装置を蒲鉾板の自動選別装置に組み込んだ状態を示す平面図である。
【図７】同上の側面図である。
【符号の説明】
１  木質板状体
１ａ  表面
１ｂ  裏面
１ｃ  側縁
１ｄ  端縁
３  送りコンベヤ
５  前端部
７  整列板
７ａ  傾斜部
７ａ’  後端
７ｂ  水平部
９  境界
１１  貫通溝
１３  側板
１５ａ  コンベヤ車
１５ｂ  コンベヤ車
１５ｃ  コンベヤ車
１７  無端環状体
１７ａ  上り部
１７ｂ  下り部
１９  整列コンベヤ
２１  駆動モータ
２３  伝動手段
２５  スプロケット
２７  爪
３０  供給用コンベヤ
３２  投入用コンベヤ
３４  表側用コンベヤ
３１  案内板
３３  貫通溝
３５  案内ブラシ
３７  転倒防止ブラシ
４１  表側用カメラ
４３  表側用ストロボ
４５  表裏反転装置
４９  裏側用カメラ
５１  裏側用ストロボ
５３  跳ね出しシリンダ
５５  整列装置
【図１】
0004104751.tif 000002
【図２】
0004104751.tif 000003
【図３】
0004104751.tif 000004
【図４】
0004104751.tif 000005
【図５】
0004104751.tif 000006
【図６】
0004104751.tif 000007
【図７】
0004104751.tif 000008